(57)【要約】【課題】  肌着等を着衣したままでブラジャを取り外すことができるようにすることである。【解決手段】  一方のカップ１０の外側縁と他方のカップ１０の外側縁を連結した背バンド１１で接続し、両カップ１０、１０の上端部と、背バンド１１の身体胸部の後背部に対応する上縁部をそれぞれ肩ストラップ１２、１２で接続し、前記両カップ１０、１０と肩ストラップ１２、１２との接続部に係脱自在の接続具３０、３０を取り付け、前記両カップ１０、１０の内側縁を係脱自在の連結具２０で連結したのである。【選択図】図１
0003173196.tif 000002
【実用新案登録請求の範囲】
【請求項１】
両カップの一方の外側縁と他方の外側縁を連続した背バンドで接続し、両カップの上端部と、前記背バンドの身体胸部の後背部に対応する上縁部とを肩ストラップでそれぞれ接続し、前記両カップの上端部と肩ストラップとをそれぞれ係脱自在の接続具で接続し、前記両カップの内側縁を係脱自在の連結具で連結したブラジャ。
【請求項２】
前記接続具は係止部材と係合部材より成り、前記係合部材に設けた弾性係止片を前記係止部材の中空支持部に挿入することによって一挙動でスナップ係止され、弾性係止片を押圧することによって一挙動でスナップ係止が解かれるようにした請求項１に記載のブラジャ。
【請求項３】
前記連結具は支持部材と回動部材より成り、前記回動部材は断面円形の係止棒を有し、前記支持部材には前記係止棒をゆるく挿入可能な挿入孔が設けられ、前記係止棒を挿入孔に挿入して回動部材を回動することによって支持部材と回動部材が連結され、前記回動部材を逆に回動することによって連結が解かれるようにした請求項１または２に記載のブラジャ。
【請求項４】
前記背バンドは伸縮自在の編物より成り、背バンドの上下縁に沿ってゴム紐が固着された請求項１〜３のいずれかに記載のブラジャ。
【考案の詳細な説明】
【技術分野】
【０００１】
この考案は、上着や肌着を着装したままで簡単に取り外すことができるブラジャに関する。
【背景技術】
【０００２】
従来のブラジャは一般に、両カップの外側縁から延びて胸部に廻きつける背バンドを身体の後背部中央で係止する構造になっているため、肌着等を脱衣した状態でないと取り外すことができない。ブラジャを取り外した後は、再び肌着等を着衣しなければならず、肌着等の脱着に手間がかかる問題が生じる。
【０００３】
また、上記のような構造のブラジャでは、着装する際に背バンドの両端に設けられた係止具を結合するために、身体後背部に両手を廻して係止しなければならず、非常に面倒な操作を要する問題がある。
【考案の概要】
【考案が解決しようとする課題】
【０００４】
そこで、この考案の課題は、ブラジャの構造を改良して肌着等を着衣したままで簡単に取り外すことができるようにし、かつブラジャの装着も簡単な操作でできるようにすることである。
【課題を解決するための手段】
【０００５】
上記の課題を解決するために、この考案においては、一方のカップの外側縁と他方のカップの外側縁を連続した背バンドで接続し、両カップの上端部と、前記背バンドの身体胸部の後背部に対応する上縁部とを肩ストラップでそれぞれ接続し、前記両カップの上端部と肩ストラップとの接続部に係脱自在の接続具をそれぞれ取り付け、前記両カップの内側縁を係脱自在の連結具で連結した構成を採用したのである。
【０００６】
前記背バンドを伸縮自在としておくのが好ましい。また、前記接続具として、一挙動で係脱可能なものを用いるのがよい。前記連結具もできるだけ一挙動に近い操作で係脱できるものを用いるのが好ましい。
【考案の効果】
【０００７】
上記のように、肩ストラップは、カップの上端部、即ち身体の前面で係止を外すことができ、かつ両カップの内側連結部も同じく身体の前面で取り外すことができるので、肌着をつけたままで、肩ストラップとカップ及びカップ同士の接続を解くことができる。その後肌着等の首回りからカップを引き出すと、容易にブラジャだけを取り外すことができる。その際カップと背バンド及び肩ストラップはつながっているので、散逸することはない。また、係止具や連結具を一挙動かそれに近い動作で外すことができるので、取り外し操作がより容易に行なわれる。また、肩ストラップと両カップ及びカップ同士の接続操作は、身体の前面で行なうことができるので、ブラジャの装着が容易である。
【図面の簡単な説明】
【０００８】
【図１】この考案のブラジャの一例を示す正面図、
【図２】この考案のブラジャの一例を示す背面図、
【図３】両カップを連結する連結具を示す分解正面図、
【図４】同上の連結具の動作を示す平面図、
【図５】肩ストラップの係止具を示す分解正面図、
【図６】同上の係止具の動作を示す縦断面図である。
【考案を実施するための形態】
【０００９】
以下、この考案の実施形態を添付図面に基づいて説明する。
【００１０】
図１及び図２に示すように、ブラジャ１は、一対の椀形カップ１０、１０と、それぞれのカップ１０の外側縁に沿って縫着され、身体胸部の背後に廻される連続した背バンド１１と、それぞれのカップ１０の上端部と身体後背部に対応する背バンド１１の上縁部をそれぞれ接続する肩ストラップ１２、１２より成り、両カップ１０、１０の内側端部は係脱自在の連結具２０によって連結され、前記肩ストラップ１２は、係脱自在の接続具３０によってそれぞれカップ１０と接続されている。また肩ストラップ１２の中途部分には、それぞれ長さ調整具４０が取り付けられている。
【００１１】
前記背バンド１１には、カップ１０との接続部において、カップ１０の下縁に沿ってカップ１０の内側端部付近まで延びる支持部１１ａが形成され、この支持部１１ａの末端とカップ１０の内側端部との接合部に、前記連結具２０が取り付けられている。従って、連結具２０は、両カップ１０、１０を連結すると同時に、背バンド１１の内側端を連結し、背バンド１１が身体胸部まわりに確実に密着して、カップ１０をそれぞれ持ち上げ支持するようになっている。
【００１２】
また背バンド１１は、通気性、伸縮性、装飾性等の良好なレース編物で形成され、さらに弾力性（パワー）を向上させるために、ゴム紐１１ｂ、１１ｃが上下両側縁に沿って固着されている。
【００１３】
前記連結具２０は、図３及び図４に示すように、支持部材２１と回動部材２２より成る。支持部材２１は、角柱状の支持部２１ａと、前述したカップ１０の一方に接続するリング２１ｂが一体に設けられたものであって、角柱状支持部２１ａの中心部には、断面円形の挿入孔２１ｃが縦方向に設けられている。この挿入孔２１ｃは、支持部２１ａの側面に開放するスリット２１ｄと連通しており、このスリット２１ｄはさらに横方向に拡がる係止口２１ｅに連通している。前記スリット２１ｄの巾は、挿入孔２１ｃの径よりも狭くしてある。また前記係止口２１ｅは、縦方向の長さＬを、後述する回動部材２２の板状部２２ｂの縦方向長さＬとほぼ同一かわずかに長くしてあり、かつ前記スリット２１ｄに対してほぼ直角の範囲、即ち図４の点線の位置まで柱状部２１ａの側面に開放されている。
【００１４】
前記回動部材２２は、前述したカップ１０の他方に接続されるリング２２ａと、このリング２２ａの側面から一体に延びる板状部２２ｂと、この板状部２２ｂの先端に一体に設けられた係止棒２２ｃから成る。この係止棒２２ｃは、前記支持部材２１の挿入孔２１ｃの径よりもやや小径の円形断面を有し、挿入孔２１ｃにゆるく挿入することができ、かつ回動可能になっている。また前記板状部２２ｂは、その横巾を前記スリット２１ｄの巾よりも狭く、その横方向長さＷをスリット２１ｄの横方向長さよりも長くしてスリット２１ｄに挿入できるようにしてあり、さらに図３に示すように、縦方向長さＬを前記係止口２１ｅとほぼ同一かわずかに短くしてある。また、係止口２１ｅの入口には、低い突起２１ｆが形成されている。この突起２１ｆの横断面を滑らかな山形にしておくのが好ましい。
【００１５】
前記支持部材２１と回動部材２２を係合する場合には、図４のようにスリット２１ｄと板状部２２ｂとを対応させた状態で、回動部材２２の係止棒２２ｃを挿入孔２１ｃの上面から下方に挿入する。そして板状部２２ｂの下面が係止口２１ｅの下面に当接した状態で図４の矢印方向に回動部材２２を回動させると、板状部２２ｂが係止口２１ｅの入口に設けた突起２１ｆを乗り越えて図４の鎖線の位置まで達する。これによって支持部材２１のリング２１ｂと回動部材２２のリング２２ａがほぼ一直線上に配置され、両部材２１と２２の連結が完了する。連結を解く場合には、図４の矢印と逆方向に回動部材２２を回動させればよく、前述のように係止棒２２ｃと板状部２２ｂは挿入孔２１ｃとスリット２１ｄにゆるく嵌り込んでいるだけであるから、ほとんど操作を要せず自然に係合が外れる。従ってほぼ一挙動の操作で両カップ１０、１０の連結を解くことができる。
【００１６】
次に、図５及び図６を参照して、接続具３０の構造について説明する。図示のように、接続具３０は、それぞれカップ１０と肩ストラップ１２に接続される係止部材３１と係合部材３２より成る。係止部材３１は、カップ１０の上端部を連結するためのリング３１ａを有し、このリング３１ａから中空板状の係止部３１ｂが一体に延び、その外端は挿入口３１ｃになっている。また係止部３１ｂの一側面には、中空内部に連通する段付き窓３１ｅが設けられ、窓３１ｅの先端部はネック部３１ｆになっている。一方係合部材３２は、肩ストラップ１２の一端を接続するリング３２ａを有し、前記係止部３１ｂの挿入口３１ｃから中空部内に挿入されるほぼ長方形の板状部３２ｂが一体に形成されており、板状部３２ｂの内部には、板状部３２ｂとほぼ相似形の貫窓３２ｃが設けられている。この貫窓３２ｃの端縁に、弾性係止片３２ｄの一端が一体に連結しており、弾性係止片３２ｄの他端（内側端）には、段差のある係止舌片３２ｅが自由端として形成され、常態では、弾性係止片３２ｄは貫窓３２ｃから板状部３２ｂの上面より少し上方に突出している。
【００１７】
係止部材３１と係合部材３２を連結する場合には、図６に示すように、係合部材３２の板状部３２ｂを係止部材３１の中空係止部３１ｂの挿入口３１ｃから挿し込む。このとき、係合部材３２の弾性係止片３２ｄは、中空係止部３１ｂの上側壁によって、図６の鎖線で示すように、押し下げられた状態で係止部３１ｂの中空内部に滑り込むが、段付き窓３１ｅの位置まで挿入されると、押圧が解放されて、係止片３２ｄはその弾性により元の位置に復帰し、係止片３２ｄの先端に設けられた舌片３２ｅが、図６の実線（ハッチング）で示すように、窓３１ｅのネック部３１ｆにスナップ係止される。これによって、係合部材３２は係止部材３１から抜け止めされる。
【００１８】
係合を解く場合には、図６のように指先Ｆで弾性係止片３２ｄを押し下げると、鎖線で示すように、係止舌片３２ｅのスナップ係止が外れるのでその状態のままで係止部材３２を引き抜けばよい。この押し下げと引き抜き動作は同時に一挙動で行なうことができる。
【符号の説明】
【００１９】
１  ブラジャ
１０  カップ
１１  背バンド
１１ａ  支持部
１１ｂ、１１ｃ  ゴム紐
１２  肩ストラップ
２０  連結具
２１  支持部材
２１ａ  支持部
２１ｂ  リング
２１ｃ  挿入孔
２１ｄ  スリット
２１ｅ  係止口
２１ｆ  突起
２２  回動部材
２２ａ  リング
２２ｂ  板状部
２２ｃ  係止棒
３０  接続具
３１  係止部材
３１ａ  リング
３１ｂ  係止部
３１ｃ  挿入口
３１ｅ  窓
３１ｆ  ネック部
３２  係合部材
３２ａ  リング
３２ｂ  板状部
３２ｃ  貫窓
３２ｄ  係止片
３２ｅ  係止舌片
Ｆ  指先
Ｌ  縦方向長さ
Ｗ  横方向長さ
【図１】
0003173196.tif 000003
【図２】
0003173196.tif 000004
【図３】
0003173196.tif 000005
【図４】
0003173196.tif 000006
【図５】
0003173196.tif 000007
【図６】
0003173196.tif 000008